(57)【要約】【課題】実際に液体を用い、液体のサイマティクス現象によって発生した水面波を利用した空間演出を行うことができる間接照明装置を提供する。【解決方法】本装置下部に配置したスピーカー(400)により発生した振動により、ランプシェード(200)を壁面とする水槽内の液面にサイマティクス現象を生じさせる。この水面波をレンズとして利用し水槽の液体内に配置したパワーLED (300)により装置本体のランプシェード(200)及び装置を設置した空間の天井に投影することで自然な動きを持った格子状の波紋を照明光として間接照明を行うことができる。【選択図】図１
2020174002.tif 000002
【特許請求の範囲】
【請求項１】
装置本体のランプシェード及び装置を設置した場所の天井に向かって照明を投影する間接照明装置であって、
前記ランプシェードが壁面を構成する水槽に収容された液体と、
前記液体内に沈められた光源と、前記液体を正弦波により振動させ液面にサイマティクス現象を発生させ、
これに照明光を投影することにより波紋に応じた動きを持った結像が得られる振動発生装置と、
を備えていることを特徴とするサイマティクス間接照明器具。
【請求項２】
光源にLEDを使用することにより照明光の投影面に波紋の輪郭をより鮮明に表現することが可能であることを特徴とする請求項１に記載のサイマティクス間接照明器具。
【請求項３】
光源である前記LEDを前記液体の中に水没させることにより光源の過熱を防ぐための冷却が行えることを特徴とする請求項２に記載のサイマティクス間接照明器具。
【発明の詳細な説明】
【技術分野】
【０００１】
本発明は、液体のサイマティクス現象を利用した間接照明器具に関するものである。 
【背景技術】
【０００２】
従来、間接光により空間演出を行う間接照明が知られている。間接照明は例として、光源を人の目に見えない箇所に設置し、壁面又は天井面に向けて光を照射して反射させることで間接光を照明光として利用するものである。 （例えば特許文献１参照）。
また、間接照明として液体の液面に波を発生させこれを光の表現として利用しているものが存在する。
【先行技術文献】
【特許文献】
【０００３】
【特許文献１】特開平５−２２５８０４号公報
【発明の概要】
【発明が解決しようとする課題】
【０００４】
上述した先行事例では専用の鏡板や動力源を備えた機械装置を作成する必要があり、アームで吊り下げられた光源装置によって装置の斜め上から光を投影する必要があることから投影方向に制約がある。例えば垂直方向へ投影しようとすると光源装置自体が影となってしまう。また、照明に利用する一般的な光源装置では光源の発光面積が広いことで結像の波と波の間の影の部分にも光が当たりぼやけてしまう。
【０００５】
本発明は、この点に鑑みてなされたものであって、簡単な構造で、液体のサイマティクス現象を自然な動きを持った照明光としてより自由な投影方向を持った間接照明装置を得ることを目的とする。
【課題を解決するための手段】
【０００６】
本発明のサイマティクス間接照明器具は、装置本体のランプシェード及び装置を設置した場所の天井に向かって照明を投影する間接照明装置であって、前記ランプシェードが壁面を構成する水槽に収容された液体と、前記液体内に沈められた光源と、前記液体を正弦波により振動させ液面にサイマティクス現象を発生させ、これに照明光を投影することにより波紋に応じた動きを持った結像が得られる振動発生装置と、を備えていることを特徴とする。
【発明の効果】
【０００７】
本装置は、光源装置の冷却用を兼ねた液体を入れた水槽内にパワーLED(300)を設置し、スピーカー(400)に正弦波を入力し液体を振動させ、これにより液面に生じた波を光で照らすことにより、装置本体のランプシェード(200)及び記述の従来技術ではできなかった動きを持った照明光を垂直方向へ投影することを可能とする。また、振動の周波数を調整することにより、液面の水面波の制御を行い投影面の結像を変化させることができる照明器具を実現できる。
【図面の簡単な説明】
【０００８】
【図１】照明器具の斜視図である。
【図２】照明器具の正面図である。
【図３】照明器具の断面図である。
【図４】実施の形態にかかわる照明器具の斜視図である。
【図５】照明器具の実施時における投影面の図である
【図６】照明器具の実施時における水槽部分に投影される光の様子を表した図である。
【発明を実施するための形態】
【０００９】
以下、本発明の実施の形態について、図面を参照しながら説明する。なお、いかに説明する実施の形態はいずれも本発明の好ましい位置具体例を示すものである。つまり、以下の実施の形態で示される形状、構成要素の配置及び接続形態などは一例であって本発明を限定する趣旨ではない。よって以下の実施の形態における構成要素のうち、本発明に記載されていない構成要素については任意のものとして説明される。
【００１０】
各図は模式図であり必ずしも厳密に図示されたものではない。各図において実質的に同一の構成に対し同一の符号を付しており、重複する説明は省略または簡略化される場合がある。
【００１１】
（実施の形態）
実施の形態における照明器具について図1~図4を用いて説明する。図1は照明器具の斜視図である。図2は照明器具を上から見下ろした様子を表現した正面図である。図3は照明器具の断面図である。図4は実施の形態にかかわる照明器具の斜視図である。
【００１２】
照明器具はテーブルなどの上や、天井から吊り下げられる形式で使用される。
【００１３】
上記目的を達成するために、本発明にかかわる照明器具の一態様はテーブル上に設置、または天井から吊り下げられる照明器具であって、ランプシェード(200)と、前記器具に入れる液体と、前記液体の液面に水面波を発生させる振動装置(400)と、前記器具本体の液体に水没する位置に設置されたパワーLED(200)を備えることを主要な特徴とする。
【００１４】
図1〜図3に示すように、照明器具は光源を液体中に水没させるアッパーライト型間接照明器具であって、スピーカー(400)と、スピーカー(400)を収納する格納部(100)と、液体を入れるためにスピーカー(400)に接着させる水槽壁面としての役割と同時に光を拡散させる間接照明のランプシェードとしての機能も果たす円筒部分(200)と、電力供給及び位置を固定するための銅線(500)で吊り上げられたパワーLED(300)とこれらスピーカー(400)とパワーLED(300)に電力を供給するための電源ケーブル(600)で構成される。
【００１５】
格納部(100)はスピーカー(400)の周縁部を囲むようにして照明装置を下から支え、スピーカーの下部及び照明とスピーカーの電力を供給する銅線(500)および電源ケーブル(600)を格納し、電源ケーブルを通すための穴を備えている。
【００１６】
円筒部分(200)はスピーカー(400)の周縁部を囲むようにして上から接着されており、装置に満たす液体の水槽壁面及び照明光を拡散するためのランプシェードとしての機能を持つ。また、銅線(500)を通すための穴が空いている。
【００１７】
パワーLED(300)は照明光を発生させる装置であり、スピーカー振動面の上に銅線(500)により吊り上げられており、装置を稼働させている際には液体中に沈んでいる。
【００１８】
スピーカー(400)は液体を入れて装置を稼働させる際、正弦波の入力信号により振動することで液面に静穏性に優れたサイマティクス現象を発生させる。
【００１９】
銅線(500)はパワーLED(300)を特定の位置に固定すると同時に電源ケーブル(600)からの電力を供給を行う。
【００２０】
電源ケーブル(600)はスピーカー(400)を振動させるための正弦波信号及びパワーLED(300)への電力の供給を行う。
【００２１】
図4は照明器具に液体を入れて振動装置(400)を作動させて液面に水面波を起こしている時の様子を表したものである。
【００２２】
図5はテーブルなどの上に照明器具を設置し図4のように装置を作動させた際、パワーLED(300)から液面を透過して光を天井に投影した時の様子を表したものである。
【００２３】
図6は装置を作動させた際にパワーLED(300)から液面を透過しランプシェード(200)に投影される光の様子を表したものである。
【符号の説明】
【００２４】
(100) 格納部
(200) ランプシェード
(300) パワーLED
(400) スピーカー
(500) 銅線
(600) 電源ケーブル
【図１】
2020174002.tif 000003
【図２】
2020174002.tif 000004
【図３】
2020174002.tif 000005
【図４】
2020174002.tif 000006
【図５】
2020174002.tif 000007
【図６】
2020174002.tif 000008